(57)【要約】【課題】ゴミを除去する機構を収納しても薄型化を達成することが可能な空気調和装置を提供する。【解決手段】空気調和装置１は、ケース２と、フィルタ４と、熱交換器５と、ゴミ除去機構９とを備えている。ケース２は、吸込口６を有する。フィルタ４は、吸込口６を覆う。熱交換器５は、ケース２に収納されている。ゴミ除去機構９は、フィルタ４に付着したゴミをフィルタから除去する。ゴミ除去機構９の少なくとも一部は、空調運転時において、空調運転を行わない非空調運転時よりも熱交換器５から離れる。【選択図】図２
2007303771.tif 000002
【特許請求の範囲】
【請求項１】
吸込口（６）を有するケース（２）と、
前記吸込口（６）を覆うフィルタ（４）と、
前記ケース（２）に収納された熱交換器（５）と、
前記フィルタ（４）に付着したゴミを前記フィルタ（４）から除去するゴミ除去機構（９、１５、２９）とを備えており、
前記ゴミ除去機構（９、１５、２９）の少なくとも一部は、空調運転時において、空調運転を行わない非空調運転時よりも前記熱交換器（５）から離れる、
空気調和装置（１）。
【請求項２】
前記非空調運転時に前記吸込口（６）の少なくとも一部を閉じ、前記空調運転時に前記吸込口（６）を開ける開閉パネル（８）をさらに備えており、
前記ゴミ除去機構（９、１５、２９）は、前記開閉パネル（８）に設けられている、
請求項１に記載の空気調和装置（１）。
【請求項３】
前記フィルタ（４）を移動自在に支持するフィルタ支持機構（１０）をさらに備えており、
前記フィルタ支持機構（１０）の一部は、前記ゴミ除去機構（９、１５、２９）とともに移動することが可能である、
請求項１または２に記載の空気調和装置（１）。
【請求項４】
前記フィルタ（４）は、ループ状であり、
前記ゴミ除去機構（９）は、前記フィルタ（４）における前記吸込口（６）に近い部分に設けられている、
請求項１から３のいずれかに記載の空気調和装置（１）。
【請求項５】
前記ゴミ除去機構（１５）は、前記フィルタ（４）に対して相対的に移動することにより、ゴミを除去する、
請求項１から４のいずれかに記載の空気調和装置（１）。
【請求項６】
前記ゴミ除去機構（９、１５、２９）は、前記フィルタ（４）の片面に付着するゴミを除去する、
請求項１から５のいずれかに記載の空気調和装置（１）。
【請求項７】
前記ゴミ除去機構（９、１５、２９）は、前記フィルタ（４）の両面に付着するゴミを除去する、
請求項１から５のいずれかに記載の空気調和装置（１）。
【請求項８】
前記熱交換器（５）は、前記ケース（２）内部に傾斜して配置された傾斜熱交換部分（５ｂ）を有しており、
前記ゴミ除去機構（２９）は、非空調運転時に前記ケース（２）内部における前記傾斜熱交換部分（５ｂ）の上部に収納される、
請求項１から７のいずれかに記載の空気調和装置（１）。
【請求項９】
前記開閉パネル（８）の下部から前記吸込口（６）への空気の吸い込みを防止する構造を有している、
請求項２から８のいずれかに記載の空気調和装置（１）。
【請求項１０】
前記ゴミ除去機構（９）で除去したゴミを収納するゴミ収納部（１６）をさらに備えている、
請求項１から９のいずれかに記載の空気調和装置（１）。
【請求項１１】
前記ゴミ収納部（１６）は、前記開閉パネル（８）または前記ケース（２）に着脱自在に取り付けられている、
請求項１０に記載の空気調和装置（１）。
【請求項１２】
前記ゴミ収納部（１６）は、掃除機の吸込み部分と連結可能である、
請求項１０または１１に記載の空気調和装置（１）。
【請求項１３】
前記ケース（２）が空調対象空間の天井に埋め込まれて設置される、
請求項１から１２のいずれかに記載の空気調和装置（１）。
【発明の詳細な説明】
【技術分野】
【０００１】
本発明は、空気調和装置に関し、とくにフィルタのゴミを除去するゴミ除去機構を備えた空気調和装置に関する。
【背景技術】
【０００２】
従来、フィルタのゴミを除去するためにブラシなどのゴミ除去機構を備えた空気調和装置が提案されている（特許文献１参照）。このような空気調和装置では、ブラシは、本体ケース内部に収納されている。
【特許文献１】特開平３−２１３９１９号公報
【発明の開示】
【発明が解決しようとする課題】
【０００３】
しかし、ケース内部には熱交換器その他の部品が収納されているので、ブラシなどのゴミ除去機構を他の部品と干渉しないようにケース内部に収納することを考えた場合、ケースはその分大きくならざるを得ず、空気調和装置の薄型化が困難になる。
【０００４】
また、空気調和装置を薄型化するために、ゴミ除去機構を熱交換器に近接して配置することが考えられるが、この場合、熱交換器の熱交換効率を高くすることができないという問題がある。
【０００５】
本発明の課題は、ゴミを除去する機構を収納しても薄型化を達成することが可能な空気調和装置を提供することにある。
【課題を解決するための手段】
【０００６】
第１発明の空気調和装置は、ケースと、フィルタと、熱交換器と、ゴミ除去機構とを備えている。ケースは、吸込口を有する。フィルタは、吸込口を覆う。熱交換器は、ケースに収納されている。ゴミ除去機構は、フィルタに付着したゴミをフィルタから除去する。ゴミ除去機構の少なくとも一部は、空調運転時において、空調運転を行わない非空調運転時よりも熱交換器から離れる。
【０００７】
ここでは、ゴミ除去機構の少なくとも一部は、空調運転時において、空調運転を行わない非空調運転時よりも熱交換器から離れるので、ゴミ除去機能を持ちながら、熱交換器の熱交換効率を高くすることが可能になる。また、ゴミ除去機構を内蔵しても非空調運転時における空気調和装置の外形形状を薄型にできる。
【０００８】
第２発明の空気調和装置は、第１発明の空気調和装置であって、開閉パネルをさらに備えている。開閉パネルは、非空調運転時に吸込口の少なくとも一部を閉じ、空調運転時に吸込口を開ける。ゴミ除去機構は、開閉パネルに設けられている。
【０００９】
ここでは、非空調運転時に吸込口の少なくとも一部を閉じ、空調運転時に吸込口を開ける開閉パネルをさらに備えており、ゴミ除去機構が開閉パネルに設けられているので、開閉パネルの開閉によって空調運転時においてゴミ除去機構を熱交換器から離すことが可能である。
【００１０】
第３発明の空気調和装置は、第１発明または第２発明の空気調和装置であって、フィルタ支持機構をさらに備えている。フィルタ支持機構は、フィルタを移動自在に支持する。フィルタ支持機構の一部は、ゴミ除去機構とともに移動することが可能である。
【００１１】
ここでは、フィルタを移動自在に支持するフィルタ支持機構をさらに備えており、フィルタ支持機構の一部がゴミ除去機構とともに移動することが可能であるので、フィルタ支持機構が熱交換器から離れた状態でゴミ除去を円滑に行うことが可能である。
【００１２】
第４発明の空気調和装置は、第１発明から第３発明のいずれかの空気調和装置であって、フィルタは、ループ状である。ゴミ除去機構は、フィルタにおける吸込口に近い部分に設けられている。
【００１３】
ここでは、フィルタがループ状であり、ゴミ除去機構がフィルタにおける吸込口に近い部分に設けられているので、非空調運転時における外形形状をさらに薄型にすることが可能である。
【００１４】
第５発明の空気調和装置は、第１発明から第４発明のいずれかの空気調和装置であって、ゴミ除去機構は、フィルタに対して相対的に移動することにより、ゴミを除去する。
【００１５】
ここでは、ゴミ除去機構がフィルタに対して相対的に移動することによりゴミを除去するので、ゴミをより迅速に除去することが可能である。
【００１６】
第６発明の空気調和装置は、第１発明から第５発明のいずれかの空気調和装置であって、ゴミ除去機構は、フィルタの片面に付着するゴミを除去する。
【００１７】
ここでは、ゴミ除去機構がフィルタの片面に付着するゴミを除去するので、ゴミが多く付着している部分のゴミを効果的に除去でき、しかも空気調和装置の構造が簡単になる。
【００１８】
第７発明の空気調和装置は、第１発明から第５発明のいずれかの空気調和装置であって、ゴミ除去機構は、フィルタの両面に付着するゴミを除去する。
【００１９】
ここでは、ゴミ除去機構がフィルタの両面に付着するゴミを除去するので、迅速なゴミ除去が可能である。
【００２０】
第８発明の空気調和装置は、第１発明から第７発明のいずれかの空気調和装置であって、熱交換器は、ケース内部に傾斜して配置された傾斜熱交換部分を有している。ゴミ除去機構は、非空調運転時にケース内部における傾斜熱交換部分の上部に収納される。
【００２１】
ここでは、熱交換器がケース内部に傾斜して配置された傾斜熱交換部分を有しており、ゴミ除去機構が非空調運転時にケース内部における傾斜熱交換部分の上部に収納されるので、空調運転時には空気が通るが、非空調運転時には何も配置されない空間を有効に利用してゴミ除去機構を収納することが可能になり、非空調運転時における空気調和装置の薄型化をさらに達成することが可能になる。
【００２２】
第９発明の空気調和装置は、第２発明から第８発明のいずれかの空気調和装置であって、開閉パネルの下部から吸込口への空気の吸い込みを防止する構造を有している。
【００２３】
ここでは、開閉パネルの下部から吸込口への空気の吸い込みを防止する構造を有しているので、開閉パネルの下部からフィルタを通過しない空気の吸い込みを防止することが可能になる。
【００２４】
第１０発明の空気調和装置は、第１発明から第９発明のいずれかの空気調和装置であって、ゴミ収納部をさらに備えている。ゴミ収納部は、ゴミ除去機構で除去したゴミを収納する。
【００２５】
ここでは、ゴミ除去機構で除去したゴミを収納するゴミ収納部をさらに備えているので、ゴミ除去を連続して行うことが可能になるとともにゴミを捨てる回数を減らすことが可能になる。
【００２６】
第１１発明の空気調和装置は、第１０発明の空気調和装置であって、ゴミ収納部は、開閉パネルまたはケースに着脱自在に取り付けられている。
【００２７】
ここでは、ゴミ収納部が開閉パネルまたはケースに着脱自在に取り付けられているので、ゴミ収納部に貯まったゴミを容易に捨てることが可能であり、また、ゴミ収納部の洗浄も容易である。
【００２８】
第１２発明の空気調和装置は、第１０発明または第１１発明の空気調和装置であって、ゴミ収納部は、掃除機の吸込み部分と連結可能である。
【００２９】
ここでは、ゴミ収納部が掃除機の吸込み部分と連結可能であるので、ゴミ収納部に貯まったゴミを掃除機で容易に吸い出すことが可能になる。
【００３０】
第１３発明の空気調和装置は、第１発明から第１２発明のいずれかの空気調和装置であって、ケースが空調対象空間の天井に埋め込まれて設置される。
【００３１】
ここでは、ケースが空調対象空間の天井に埋め込まれて設置される空気調和装置においても、ゴミ除去機構の少なくとも一部を空調運転時において、空調運転を行わない非空調運転時よりも熱交換器から離れるようにすることによって、ゴミ除去機能を持ちながら、熱交換器の熱交換効率を高くすることが可能になる。また、ゴミ除去機構を内蔵しても非空調運転時における空気調和装置の外形形状を薄型にできるので、非空調運転時における空気調和装置の意匠性を向上することが可能である。
【発明の効果】
【００３２】
第１発明によれば、ゴミ除去機能を持ちながら、熱交換器の熱交換効率を高くすることができる。また、ゴミ除去機構を内蔵しても非空調運転時における空気調和装置の外形形状を薄型にできる。
【００３３】
第２発明によれば、開閉パネルの開閉によって空調運転時においてゴミ除去機構を熱交換器から離すことができる。
【００３４】
第３発明によれば、フィルタ支持機構が熱交換器から離れた状態でゴミ除去を円滑に行うことができる。
【００３５】
第４発明によれば、非空調運転時における外形形状をさらに薄型にすることができる。
【００３６】
第５発明によれば、ゴミをより迅速に除去することができる。
【００３７】
第６発明によれば、ゴミが多く付着している部分のゴミを効果的に除去でき、しかも空気調和装置の構造が簡単になる。
【００３８】
第７発明によれば、迅速なゴミ除去ができる。
【００３９】
第８発明によれば、空調運転時には空気が通るが、非空調運転時には何も配置されない空間を有効に利用してゴミ除去機構を収納することができ、非空調運転時における空気調和装置の薄型化をさらに達成することができる。
【００４０】
第９発明によれば、開閉パネルの下部からフィルタを通過しない空気の吸い込みを防止することができる。
【００４１】
第１０発明によれば、ゴミ除去を連続して行うことが可能になるとともにゴミを捨てる回数を減らすことができる。
【００４２】
第１１発明によれば、ゴミ収納部に貯まったゴミを容易に捨てることができ、また、ゴミ収納部の洗浄も容易である。
【００４３】
第１２発明によれば、ゴミ収納部に貯まったゴミを掃除機で容易に吸い出すことができる。
【００４４】
第１３発明によれば、ケースが空調対象空間の天井に埋め込まれて設置される空気調和装置においても、ゴミ除去機能を持ちながら、熱交換器の熱交換効率を高くすることができる。また、ゴミ除去機構を内蔵しても非空調運転時における空気調和装置の外形形状を薄型にできる。
【発明を実施するための最良の形態】
【００４５】
〔第１実施形態〕
＜空気調和装置１の基本構成＞
本発明の第１実施形態に係る空気調和装置１は、図１〜図３に示されるように、居室等の空調対象空間の壁に配置される壁掛け型の空気調和装置である。空気調和装置１は、主として、ケース２と、送風ファン３と、ループ状のフィルタ４と、熱交換器５と、開閉パネル８と、ゴミ除去機構９と、フィルタ支持機構１０ととから構成されている。
【００４６】
ケース２の内部には、主として、居室内の空気をケース２内に吸入して吹出口７から吹き出す送風ファン３と、ケース２内に吸引された空気を濾過するフィルタ４と、送風ファン３の上半分を囲むように配置された熱交換器５とが配置されている。
【００４７】
送風ファン３は、クロスフローファンから構成されており、居室内の空気をケース２の吸込口６を通じてケース２内に吸入し、フィルタ４によって濾過された後に吹出口７から調和空気を吹き出す空気流れを生成する。吸込口６の上面開口６ａおよび正面開口６ｂから吸入された空気は、熱交換器５に流れる。熱交換器５では、空気は、冷媒と熱交換されて冷却または加熱されて調和空気となる。その後、調和空気は、送風ファン３を通ってケース２の正面下部の吹出口７から居室等の空調対象空間へ吹き出す。
【００４８】
熱交換器５は、複数の熱交換部分５ａ、５ｂ、５ｃを有している。傾斜熱交換部分５ｂは、ケース２内部に傾斜して配置されている。
【００４９】
開閉パネル８は、吸込口６のうち正面開口６ｂを開閉する。開閉パネル８は、ケース２内部に収納された往復駆動機構（図示せず）によって図２に示される閉位置と図３に示される開位置との間を往復移動され得る。
【００５０】
開閉パネル８は、図２に示されるように空気調和装置１が空調運転を行わない非空調運転時では、正面開口６ｂを閉じて外部から完全に見えなくする。それとともに開閉パネル８がケース２に近接しているので、空気調和装置１全体の厚さが薄くなっている。その結果、非空調運転時における空気調和装置１の意匠性を向上することが可能である。一方、図３に示されるように空気調和装置１の空調運転時では、開閉パネル８は、所定の距離だけ前方に移動するので、正面開口６ｂから空気を十分吸い込むことができ、空調性能を確保できる。また、図３に示される空調運転時においても、開閉パネル８によって正面開口６ｂおよびフィルタ４が外部から（とくに正面視において）隠されているので、空調運転時においても空気調和装置１の意匠性が向上している。
【００５１】
ゴミ除去機構９は、フィルタ４のゴミを除去する機構である。ゴミ除去機構９は、フィルタ４の表面からゴミをかき取るブラシなどのかき取り手段、フィルタ４の表面からゴミを吸引する吸引手段、ゴミのかき取りおよび吸引を同時に行なうかき取り吸引手段、または振動によりゴミを除去する振動手段のうちのいずれか１種または２種以上を有している。図１〜図３に示されるゴミ除去機構９は、フィルタ４の両面のゴミを除去する。例えば、ゴミ除去機構９は、ループ状のフィルタ４がフィルタ支持機構１０のローラ１０ａ〜１０ｅに支持された状態でスクロールするときに、ゴミ除去機構９の一対のブラシなどのかき取り手段によってフィルタ４の両面のゴミを除去する。
【００５２】
ゴミ除去機構９は、図２に示されるように空気調和装置１が空調運転を行わない非空調運転時では、熱交換器５の正面に接触または非常に接近して配置されている。一方、図３に示されるように空気調和装置１が空調運転を行う空調運転時には、開閉パネル８が所定の距離だけ前方に移動することにより、非空調運転時よりも熱交換器５から離れる。その結果、ゴミ除去機能を持ちながら、熱交換器５の熱交換効率を高くすることが可能になる。また、ゴミ除去機構９を内蔵しても非空調運転時における空気調和装置１の外形形状を薄型にできるので、非空調運転時における空気調和装置１の意匠性を向上することが可能である。
【００５３】
なお、ゴミ除去機構９の全体を移動させなくても、ゴミ除去機構９の少なくとも一部である熱交換器５の正面に接触または非常に接近する部分を移動させるようにすれば、熱交換効率および意匠性の向上を達成することが可能である。
【００５４】
また、ゴミ除去機構９を開閉パネル８に取り付ける代わりに、ゴミ除去機構９を単独で移動可能できるようにして、ゴミ除去機構９の少なくとも一部が空調運転時において空調運転を行わない非空調運転時よりも熱交換器５から離れることが可能な構成にしてもよい。
【００５５】
ゴミ除去機構９によってフィルタ４のゴミを除去する場合、基本的には図３に示されるように開閉パネル８を開けた状態で行うが、図２に示されるように開閉パネル８を閉めた状態で行なってもよい。
【００５６】
また、ゴミ除去機構９は、ループ状のフィルタ４における吸込口６に近い部分に設けられているので、図２に示される非空調運転時における空気調和装置１の外形形状をさらに薄型にすることが可能である。
【００５７】
フィルタ支持機構１０は、駆動ローラ１０ａと、従動ローラ１０ｂ〜１０ｅと、駆動部１３と、可動ブラケット１４とを有している。
【００５８】
駆動ローラ１０ａ、および従動ローラ１０ｂ、１０ｃ、１０ｄ、１０ｅは、ケース２および開閉パネル８の内部に回転自在に取り付けられており、ループ状のフィルタ４をスクロールできるように支持している。駆動ローラ１０ａは、ステップモータ等を内蔵する駆動部１３によって回転駆動される。従動ローラ１０ｂ、１０ｃは、開閉パネル８の内部における上側および下側にそれぞれ回転自在に取り付けられている。従動ローラ１０ｄは、ケース２に対して相対的に若干移動できるように取り付けられた可動ブラケット１４に回転自在に取り付けられている。従動ローラ１０ｅは、ケース２の内部上側に回転自在に取り付けられている。
【００５９】
なお、空気調和装置１は、駆動部１３の駆動力にによってフィルタ４を自動でスクロールさせることが可能であるが、手動によるスクロールも可能である。手動によるスクロールを容易に行うために、ローラ１０ａ〜１０ｅのいずれかに操作ハンドルまたは操作ツマミを取り付けるのが好ましい。
【００６０】
フィルタ支持機構１０に支持されるループ状のフィルタ４は、図１に示されるように、網部分４ａと、帯部分４ｂとを有しており、少なくとも帯部分４ｂがループ状であればスクロール可能である。
【００６１】
なお、網部分４ａも帯部分４ｂと同様に帯部分４ｂの全周にわたって配設されていてもよい。その場合、網部分４ａの上流側（図２におけるローラ１０ａ〜１０ｃの外側に掛け回された部分）よりも下流側（図２におけるローラ１０ａ〜１０ｃの内側に掛け回された部分）の方の網の目を細かくすれば、通風抵抗を抑えながら集塵能力を確保することが可能である。
【００６２】
また、フィルタ支持機構１０の従動ローラをさらに熱交換器５の前側熱交換部分５ａの下方に追加すれば、フィルタ４を熱交換器５の下方まで覆うように配置させることも可能である。この場合、開閉パネル８の下方から吸込口６の正面開口６ｂに吸い込まれる空気もフィルタ４を確実に通過させることが可能になる。
【００６３】
〔第１実施形態の特徴〕
（１）
第１実施形態の空気調和装置１では、ゴミ除去機構９の少なくとも一部は、空調運転時において、空調運転を行わない非空調運転時よりも熱交換器５から離れるので、ゴミ除去機能を持ちながら、熱交換器５の熱交換効率を高くすることが可能になる。また、ゴミ除去機構９を内蔵しても非空調運転時における空気調和装置１の外形形状を薄型にできるので、非空調運転時における空気調和装置１の意匠性を向上することが可能である。
【００６４】
（２）
第１実施形態の空気調和装置１は、非空調運転時に吸込口６の少なくとも一部である正面開口６ｂを閉じ、空調運転時に吸込口６を開ける開閉パネル８をさらに備えており、ゴミ除去機構９が開閉パネル８に設けられているので、開閉パネル８の開閉によって空調運転時においてゴミ除去機構９を熱交換器５から離すことが可能である。
【００６５】
（３）
第１実施形態の空気調和装置１では、フィルタ４を移動自在に支持するフィルタ支持機構１０をさらに備えており、フィルタ支持機構１０の一部である従動ローラ１０ｂ、１０ｃ、１０ｄは、ゴミ除去機構９とともに移動することが可能であるので、フィルタ支持機構１０が熱交換器５から離れた状態でゴミ除去を円滑に行うことが可能である。
【００６６】
なお、第１実施形態では、駆動部１３の駆動力によってフィルタ４を自動的にスクロールさせているが、手動によってフィルタ４をスクロールさせてもよい。
【００６７】
（４）
第１実施形態の空気調和装置１では、フィルタ４がループ状であり、ゴミ除去機構９がフィルタ４における吸込口６に近い部分に設けられているので、非空調運転時における外形形状をさらに薄型にすることが可能である。
【００６８】
（５）
第１実施形態の空気調和装置１では、ゴミ除去機構９がフィルタ４の両面に付着するゴミを除去するので、迅速なゴミ除去が可能である。
【００６９】
〔第１実施形態の変形例〕
（Ａ）
第１実施形態の空気調和装置１では、ゴミ除去機構９が開閉パネル８に固定されているが、本発明はこれに限定されるものではない。第１実施形態の変形例として、図４に示されるように、ゴミ除去機構１５は、フィルタ４に対して相対的に移動することによりゴミを除去するようにしてもよい。この場合、ゴミをより迅速に除去することが可能である。
【００７０】
ゴミ除去機構１５は、例えばブラシなどのかき取り手段等から構成され、開閉パネル８に水平方向に往復移動自在に取り付けられ、ステップモータ等を有する往復移動機構（図示せず）によって往復移動される。
【００７１】
なお、ゴミ除去機構１５を水平方向へ移動する代わりに、上下方向に移動させてもよい。さらに、ゴミ除去機構１５を上下方向および水平方向の２方向について移動できるようにしてもよい。
【００７２】
（Ｂ）
第１実施形態の空気調和装置１では、ゴミ除去機構９がフィルタ４の両面に付着するゴミを除去するが、本発明はこれに限定されるものではない。第１実施形態の他の変形例として、ゴミ除去機構９は、フィルタ４の片面に付着するゴミを除去するようにしてもよい。この場合もゴミが多く付着している部分のゴミを効果的に除去でき、しかも空気調和装置１の構造が簡単になる。
【００７３】
（Ｃ）
第１実施形態のさらに他の変形例として、空気調和装置１は、図５に示されるように、ゴミ除去機構９で除去したゴミを収納するゴミ収納部１６をさらに備えているようにしてもよい。この場合、ゴミ収納部１６にゴミを収納することによって、ゴミ除去を連続して行うことが可能になるとともにゴミを捨てる回数を減らすことが可能になる。
【００７４】
（Ｄ）
また、図５に示されるゴミ収納部１６が開閉パネル８またはケース２に着脱自在に取り付けられているのが好ましい。この場合、ゴミ収納部１６に貯まったゴミを容易に捨てることが可能であり、また、ゴミ収納部１６の洗浄も容易である。
【００７５】
（Ｅ）
第１実施形態のさらに他の変形例として、空気調和装置１は、図６（ａ）、（ｂ）に示されるように、ゴミ除去機構９で除去したゴミを収納するゴミ収納部１６が掃除機の吸込み部分Ｓと連結可能であるのが好ましい。この場合、掃除機の吸込み部分Ｓをゴミ収納部１６に連結するだけで、ゴミ収納部１６に貯まったゴミＧを掃除機で容易に吸い出すことが可能になる。
【００７６】
図６に示されるゴミ収納部１６は、図６（ｂ）に示されるように、掃除機の吸込み部分Ｓと連結できるように、開閉自在のシャッタ１７と、放射状に分割されたゴム膜などの弁１８とを有している。シャッタ１７は、吸込み部分Ｓが押し込まれると上方へ開くとともに弁１８も上方へ押し上げて弁１８も開放させる。これにより、ゴミ収納部１６内部と吸込み部分Ｓとを連通させてゴミＧを掃除機側へ吸い出すことができる。また、ゴミＧを吸い出した後に、吸込み部分Ｓをゴミ収納部１６から分離させれば、シャッタ１７は、回転バネ（図示せず）等の弾性力によって閉じる。それとともに弁１８も自己の弾性力によって閉じる。
【００７７】
（Ｆ）
また、図７に示されるようにゴミ収納部１６をケース２内部に取り付ける場合には、ゴミ除去機構９とゴミ収納部１６との間をゴミが通るホース２０で連結するのが好ましい。
ホース２０は、ゴミ除去機構９とゴミ収納部１６との間の距離の変化に合わせて伸縮できるような合成樹脂またはゴム製の蛇腹ホースが好ましい。
【００７８】
ゴミ収納部１６をケース２内部に取り付けることによって、開閉パネル８に取り付けた場合に比べて大型のゴミ収納部１６を採用することが可能になる。
【００７９】
（Ｇ）
第１実施形態では、壁に設置される空気調和装置１を例にあげて説明しているが、本発明はこれに限定されるものではない。第１実施形態のさらに他の変形例として、ケース２が空調対象空間の天井に埋め込まれて設置される天井埋込み型（いわゆる天井カセット型）空気調和装置であってもよい。
【００８０】
この場合も、ゴミ除去機構９の少なくとも一部を空調運転時において空調運転を行わない非空調運転時よりも熱交換器５から離れるようにすることによって、ゴミ除去機能を持ちながら熱交換器５の熱交換効率を高くすることが可能になる。また、ゴミ除去機構９を内蔵しても非空調運転時における空気調和装置１の外形形状を薄型にできるので、非空調運転時における空気調和装置１の意匠性を向上することが可能である。
【００８１】
（Ｈ）
また、第１実施形態のさらに他の変形例として、ゴミ除去機構９を開閉パネル８に取り付ける代わりに、ゴミ除去機構９を単独で移動可能できるようにして、ゴミ除去機構９の少なくとも一部が空調運転時において空調運転を行わない非空調運転時よりも熱交換器５から離れることが可能な構成にしてもよい。この場合も、熱交換器５の熱交換効率の向上、および空気調和装置１の意匠性の向上が可能である。
【００８２】
〔第２実施形態〕
本発明の第２実施形態に係る空気調和装置１は、図８〜図１０に示されるように、ゴミ除去機構２９が開閉パネル８の内部の上側に配置されており、非空調運転時（図９参照）にゴミ除去機構２９がケース２内部における傾斜熱交換部分５ｂの上部に収納される点で、第１実施形態の空気調和装置１と異なっている。その他の構成については、図１〜３に示される第１実施形態の空気調和装置１の構成と共通している。
【００８３】
ケース２内部における傾斜熱交換部分５ｂの上部には、空調運転時には空気が通るが、非空調運転時には何も配置されない空間がある。この空間を有効に利用して、非空調運転時にゴミ除去機構２９を収納することが可能である。また、第１実施形態のゴミ除去機構９よりも大型のゴミ除去機構２９を採用することも可能である。
【００８４】
〔第２実施形態の特徴〕
第２実施形態では、図９に示されるようにゴミ除去機構２９が非空調運転時にケース２内部における傾斜熱交換部分５ｂの上部に収納されている。したがって、空調運転時には空気が通るが、非空調運転時には何も配置されない空間を有効に利用してゴミ除去機構２９を収納することが可能になり、非空調運転時における空気調和装置１の薄型化をさらに達成することが可能になる。
【００８５】
また、第２実施形態の空気調和装置１についても、ゴミ除去機構２９の少なくとも一部を空調運転時において、空調運転を行わない非空調運転時よりも熱交換器５から離れるようにすることによって、ゴミ除去機能を持ちながら、熱交換器５の熱交換効率を高くすることが可能になる。また、ゴミ除去機構２９を内蔵しても非空調運転時における空気調和装置１の外形形状を薄型にできるので、非空調運転時における空気調和装置１の意匠性を向上することが可能である。
【００８６】
〔第２実施形態の変形例〕
（Ａ）
第２実施形態の空気調和装置１では、ゴミ除去機構２９が開閉パネル８の上側に配置されているが、図１０に示されるように空調運転時における開閉パネル８の下側を見れば、開閉パネル８とケース２との間に下側の隙間があるので、この下側の隙間を通して、フィルタ４を通過しない空気が吸込口６の正面開口６ｂからケース２内部に吸い込まれるおそれがある。
【００８７】
そこで、第２実施形態の変形例として、開閉パネル８の下部から吸込口６への空気の吸い込みを防止する構造、例えば、図１１に示されるように下側の隙間を閉じる仕切り部材３０を開閉パネル８とケース２との間に設けてもよい。これにより、開閉パネル８の下部からフィルタ４を通過しない空気の吸い込みを防止することが可能になる。
【００８８】
仕切り部材３０は、下方からの空気の吸い込みを防止できる部材であればよく、合成樹脂製パネル等の板状部材、または軟質ゴム等のシート状部材などで構成されるのが好ましい。
【００８９】
（Ｂ）
また、開閉パネル８の下部から吸込口６への空気の吸い込みを防止する構造の他の変形例として、図１２に示されるように、仕切り部材３０を設ける代わりに、開閉パネル８の下縁とケース２とを接近または接触させて下方からの空気の流入を防ぎ、開閉パネル８の上側を前後方向に揺動させることにより、開閉パネル８を開閉させるようにしてもよい。この場合も、開閉パネル８の下部からフィルタ４を通過しない空気の吸い込みを防止することが可能になる。
【産業上の利用可能性】
【００９０】
本発明は、フィルタのゴミを除去するゴミ除去機構を備えた空気調和装置について広く適用することが可能である。したがって、壁掛け型、天井埋込み型、天井吊下げ型その他の種々のタイプの空気調和装置にも適用することが可能である。
【図面の簡単な説明】
【００９１】
【図１】本発明の第１実施形態に係わる空気調和装置の主要構成を示した斜視図。
【図２】図２の空気調和装置の開閉パネルを閉じた状態の断面図。
【図３】図２の空気調和装置の開閉パネルを開いた状態の断面図。
【図４】本発明の第１実施形態の変形例に係わる空気調和装置の主要構成を示した斜視図。
【図５】本発明の第１実施形態の他の変形例に係わる空気調和装置の主要構成を示した斜視図。
【図６】（ａ）は本発明の第１実施形態のさらに他の変形例に係わる空気調和装置の主要構成を示した斜視図であり、（ｂ）はゴミ収納部付近の拡大断面図である。
【図７】本発明の第１実施形態のさらに他の変形例に係わる空気調和装置の主要構成を示した斜視図。
【図８】本発明の第２実施形態に係わる空気調和装置の主要構成を示した斜視図。
【図９】図８の空気調和装置の開閉パネルを閉じた状態の断面図。
【図１０】図８の空気調和装置の開閉パネルを開いた状態の断面図。
【図１１】本発明の第２実施形態の変形例に係わる空気調和装置の主要構成を示した斜視図。
【図１２】本発明の第２実施形態の他の変形例に係わる空気調和装置の主要構成を示した斜視図。
【符号の説明】
【００９２】
１  空気調和装置
２  ケース
４  フィルタ
５  熱交換器
６  吸込口
７  吹出口
８  開閉パネル
９、１５、２９  ゴミ除去機構
１０  フィルタ支持機構
１６  ゴミ収納部
【図１】
2007303771.tif 000003
【図２】
2007303771.tif 000004
【図３】
2007303771.tif 000005
【図４】
2007303771.tif 000006
【図５】
2007303771.tif 000007
【図６】
2007303771.tif 000008
【図７】
2007303771.tif 000009
【図８】
2007303771.tif 000010
【図９】
2007303771.tif 000011
【図１０】
2007303771.tif 000012
【図１１】
2007303771.tif 000013
【図１２】
2007303771.tif 000014
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
吸込口（６）を有するケース（２）と、
前記吸込口（６）を覆うフィルタ（４）と、
前記ケース（２）に収納された熱交換器（５）と、
前記フィルタ（４）に付着したゴミを前記フィルタ（４）から除去するゴミ除去機構（９、１５、２９）とを備えており、
前記ゴミ除去機構（９、１５、２９）の少なくとも一部は、空調運転時において、空調運転を行わない非空調運転時よりも前記熱交換器（５）から前方に離れる、
空気調和装置（１）。
【請求項２】
前記非空調運転時に前記吸込口（６）の少なくとも一部を閉じ、前記空調運転時に前記吸込口（６）を開ける開閉パネル（８）をさらに備えており、
前記ゴミ除去機構（９、１５、２９）は、前記開閉パネル（８）に設けられている、
請求項１に記載の空気調和装置（１）。
【請求項３】
前記フィルタ（４）を移動自在に支持するフィルタ支持機構（１０）をさらに備えており、
前記フィルタ支持機構（１０）の一部は、前記ゴミ除去機構（９、１５、２９）とともに移動することが可能である、
請求項１または２に記載の空気調和装置（１）。
【請求項４】
前記フィルタ（４）は、ループ状であり、
前記ゴミ除去機構（９）は、前記フィルタ（４）における前記吸込口（６）に近い部分に設けられている、
請求項１から３のいずれかに記載の空気調和装置（１）。
【請求項５】
前記ゴミ除去機構（１５）は、前記フィルタ（４）に対して相対的に移動することにより、ゴミを除去する、
請求項１から４のいずれかに記載の空気調和装置（１）。
【請求項６】
前記ゴミ除去機構（９、１５、２９）は、前記フィルタ（４）の片面に付着するゴミを除去する、
請求項１から５のいずれかに記載の空気調和装置（１）。
【請求項７】
前記ゴミ除去機構（９、１５、２９）は、前記フィルタ（４）の両面に付着するゴミを除去する、
請求項１から５のいずれかに記載の空気調和装置（１）。
【請求項８】
前記熱交換器（５）は、前記ケース（２）内部に傾斜して配置された傾斜熱交換部分（５ｂ）を有しており、
前記ゴミ除去機構（２９）は、非空調運転時に前記ケース（２）内部における前記傾斜熱交換部分（５ｂ）の上部に収納される、
請求項１から７のいずれかに記載の空気調和装置（１）。
【請求項９】
前記開閉パネル（８）の下部から前記吸込口（６）への空気の吸い込みを防止する構造を有している、
請求項２から８のいずれかに記載の空気調和装置（１）。
【請求項１０】
前記ゴミ除去機構（９）で除去したゴミを収納するゴミ収納部（１６）をさらに備えている、
請求項１から９のいずれかに記載の空気調和装置（１）。
【請求項１１】
前記ゴミ収納部（１６）は、前記開閉パネル（８）または前記ケース（２）に着脱自在に取り付けられている、
請求項１０に記載の空気調和装置（１）。
【請求項１２】
前記ゴミ収納部（１６）は、掃除機の吸込み部分と連結可能である、
請求項１０または１１に記載の空気調和装置（１）。
【請求項１３】
前記ケース（２）が空調対象空間の天井に埋め込まれて設置される、
請求項１から１２のいずれかに記載の空気調和装置（１）。
【手続補正２】
【補正対象書類名】明細書
【補正対象項目名】０００６
【補正方法】変更
【補正の内容】
【０００６】
第１発明の空気調和装置は、ケースと、フィルタと、熱交換器と、ゴミ除去機構とを備えている。ケースは、吸込口を有する。フィルタは、吸込口を覆う。熱交換器は、ケースに収納されている。ゴミ除去機構は、フィルタに付着したゴミをフィルタから除去する。ゴミ除去機構の少なくとも一部は、空調運転時において、空調運転を行わない非空調運転時よりも熱交換器から前方に離れる。
【手続補正３】
【補正対象書類名】明細書
【補正対象項目名】０００７
【補正方法】変更
【補正の内容】
【０００７】
ここでは、ゴミ除去機構の少なくとも一部は、空調運転時において、空調運転を行わない非空調運転時よりも熱交換器から前方に離れるので、ゴミ除去機能を持ちながら、熱交換器の熱交換効率を高くすることが可能になる。また、ゴミ除去機構を内蔵しても非空調運転時における空気調和装置の外形形状を薄型にできる。